(57)【要約】  ユニットに接続される部品の接続異常を特定できるようにする。  ユニット（２）の第１の接続手段（４ａ，４ｂ）には、第１の部品（３）が接続される。ユニット（２）の第２の接続手段（６ａ，６ｂ）には、第２の部品（５）が接続される。分岐手段（７）は、第２の接続手段（６ａ，６ｂ）の前段に設けられ、信号光を第１の接続手段（４ａ，４ｂ）を介して第１の部品（３）に出力する。第１の検出手段（８）は、第１の部品（３）が分岐手段（７）から出力される信号光を受信しているか否か検出する。第２の検出手段（９）は、第２の接続手段（６ａ，６ｂ）の後段に設けられ、信号光を検出する。
2008050386.tif 000002
【特許請求の範囲】
【請求項１】
波長多重された信号光を伝送する光伝送装置において、
第１の部品が接続される第１の接続手段と、第２の部品が接続される第２の接続手段と、前記第２の接続手段の前段に設けられ、前記信号光を前記第１の接続手段を介して前記第１の部品に出力する分岐手段と、前記第１の部品が前記分岐手段から出力される前記信号光を受信しているか否か検出する第１の検出手段と、前記第２の接続手段の後段に設けられ、前記信号光を検出する第２の検出手段と、を備えたユニット、
を有することを特徴とする光伝送装置。
【請求項２】
前記分岐手段は、前記信号光に含まれる監視制御信号を前記第１の部品に出力し、
前記第１の検出手段は、前記第１の部品が前記分岐手段から出力される前記監視制御信号光を受信しているか否か検出し、
前記第２の検出手段は、前記信号光に含まれる前記監視制御信号光を検出する、
ことを特徴とする請求の範囲第１項記載の光伝送装置。
【請求項３】
前記ユニットは、
前記分岐手段と前記第２の接続手段との間に設けられる第１の光増幅手段と、
前記第２の検出手段の後段に設けられる第２の光増幅手段と、
を有することを特徴とする請求の範囲第１項記載の光伝送装置。
【請求項４】
前記ユニットの後段に接続される、前記信号光を検出する第３の検出手段を備えたコアユニットを有することを特徴とする請求の範囲第１項記載の光伝送装置。
【請求項５】
前記第２の検出手段が前記信号光を検出しなかった場合、前記第２の接続手段に出力される前記信号光の光レベルを抑制するようにする信号光制御手段を有することを特徴とする請求の範囲第１項記載の光伝送装置。
【請求項６】
前記第２の検出手段が前記信号光を検出しなかった場合、ＡＰＳＤを実施するＡＰＳＤ手段を有することを特徴とする請求の範囲第１項記載の光伝送装置。
【請求項７】
前記第１の検出手段が前記第１の部品が前記信号光を受信していないと判断した場合でも、前記第２の検出手段が前記信号光を検出した場合、ＡＰＳＤを実施ないようにするＡＰＳＤ手段を有することを特徴とする請求の範囲第１項記載の光伝送装置。
【請求項８】
前記ユニットは、光増幅ユニットであり、前記第１の部品は、分散補償ファイバであり、前記第２の部品は、監視制御ユニットであることを特徴とする請求の範囲第１項記載の光伝送装置。
【発明の詳細な説明】
【技術分野】
【０００１】
本発明は光伝送装置に関し、特に波長多重された信号光を伝送する光伝送装置に関する。
【背景技術】
【０００２】
現在、異なる波長の信号光を多重して伝送することにより伝送容量を増大させる波長多重方式（ＷＤＭ方式：Wavelength Division Multiplexing）が普及しており、光リングネットワークでは、波長の分岐・挿入（Add-Drop）を実施するＯＡＤＭ（Optical Add-Drop Multiplex）機能を具備した光伝送装置が用いられている。【０００３】
このような光伝送装置では、１波長あたりの光レベルが数ｄＢｍと低い場合でも、信号光が多重化された後は、例えば、２０ｄＢｍという非常に高い出力となり、その安全対策が必須となる。例えば、光伝送装置には、安全対策基準であるＣＤＲＨ（Center for Devices and Radiological Health）において、CLASSIIIbに該当するものがある。そのため、光伝送装置は、安全対策の一つとしてＡＰＳＤ（Auto Power Shut Down）機能を一般的に具備しており、光ファイバの接続異常が検出された場合には、光増幅器のＬＤ（Laser diode）をシャットダウンし、強制的に信号光の出力を停止するようにしている。【０００４】
図９は、光リングネットワークの例を示した図である。図に示すように光伝送装置１０１〜１０６は、リングネットワークを構成し、上り回線１１１と下り回線１１２とを構成している。図のリングネットワークでは、光伝送装置１０１が信号光を挿入（Add）し、光伝送装置１０４で信号光を分岐（drop）している。光伝送装置１０１は、上り回線１１１と下り回線１１２とに同一の信号光を出力し、光伝送装置１０４は、上り回線１１１からの信号光を分岐している。【０００５】
ここで、例えば、光伝送装置１０２と光伝送装置１０３との間の上り回線１１１において、光ファイバ断が発生したとする。この場合、光伝送装置１０３は、信号光の断状態を検出し、光伝送装置１０２の信号光の出力を強制的にシャットダウンさせる（ＡＰＳＤ機能）。この際、光伝送装置１０４は、信号光を分岐するポートを、上り回線１１１から下り回線１１２に切り替える。これにより、光伝送装置１０２と光伝送装置１０３との間の上り回線１１１において、光ファイバ断が発生しても、信号光の伝送が救済される。【０００６】
ところで、このような光通信ネットワークでは、プロテクション機能の実行時（上記のポート切り替えが相当）、ＯＡＤＭ機能を具備した光伝送装置での需要に応じた波長数設定時、または光ネットワークの立ち上げ後などにおいて、運用波長光（主信号）のない状態（ＯＳＣ（Optical Supervisory Channel）光のみの状態、以下、０波運用状態）が発生する。このような０波運用状態においても、ＤＣＦ（Dispersion Compensation Fiber）などの接続異常を含む、光ファイバ接続を監視することが必要とされる。【０００７】
以下、通常運用状態（運用波長光とＯＳＣ光がある状態）と０波運用状態とにおける光伝送装置の状態検出について説明する。まず、光伝送装置のブロック構成について説明する。【０００８】
図１０は、光伝送装置のブロック構成図である。図には、図９で示した光伝送装置１０２のブロック構成が示してある。なお、その他の光伝送装置も同様のブロック構成を有している。【０００９】
光伝送装置１０２は、光増幅ユニット１２０，１４０、ＯＳＣユニット１５１，１５２、およびＣｏｒｅ（スイッチ）ユニット１５３，１５４を有している。ユニットのそれぞれは、例えば、１つの基板で構成され、コネクタを介して接続されている。【００１０】
光増幅ユニット１２０は、光伝送装置１０１から受信した信号光を増幅し、Ｃｏｒｅユニット１５３に出力する。Ｃｏｒｅユニット１５３は、信号光を分岐・挿入し、光増幅ユニット１４０に出力する（図９の例では、光伝送装置１０２は、信号光を分岐・挿入しない）。光増幅ユニット１４０は、Ｃｏｒｅユニット１５３から出力される信号光を増幅し、光伝送装置１０３へ出力する。【００１１】
また、光増幅ユニット１４０は、光伝送装置１０３から受信した信号光を増幅し、Ｃｏｒｅユニット１５４に出力する。Ｃｏｒｅユニット１５４は、信号光を分岐・挿入し、光増幅ユニット１２０に出力する（図９の例では、光伝送装置１０２は、信号光を分岐・挿入しない）。光増幅ユニット１２０は、Ｃｏｒｅユニット１５４から出力される信号光を増幅し、光伝送装置１０１へ出力する。【００１２】
ＯＳＣユニット１５１は、光伝送装置１０１から受信した信号光に含まれるＯＳＣ光に基づいて、光ネットワークの警報等を監視し、また、光伝送装置１０２自身の警報等を監視する。ＯＳＣユニット１５１は、収集した光ネットワークの警報情報や光伝送装置１０２自身の警報情報を、光増幅ユニット１２０を介して光伝送装置１０１へ出力する。【００１３】
ＯＳＣユニット１５２は、光伝送装置１０３から受信した信号光に含まれるＯＳＣ光に基づいて、光ネットワークの警報等を監視し、また、光伝送装置１０２自身の警報等を監視する。ＯＳＣユニット１５２は、収集した光ネットワークの警報情報や光伝送装置１０２自身の警報情報を、光増幅ユニット１４０を介して光伝送装置１０３へ出力する。【００１４】
光増幅ユニット１２０のカプラ１２１は、光伝送装置１０１から受信した信号光を分岐し、カプラ１２２とＶＯＡ（Variable Optical Attenuator）１２５とに出力する。
カプラ１２２は、カプラ１２１から出力される信号光を運用波長光とＯＳＣ光とに分離し、運用波長光はＰＤ−ＳＩＧ１２３に、ＯＳＣ光はＰＤ−ＯＳＣ１２４に出力する。ＰＤ−ＳＩＧ１２３は、運用波長光の光レベルを検出し、ＰＤ−ＯＳＣ１２４は、ＯＳＣ光の光レベルを検出する。【００１５】
ＶＯＡ１２５は、ＰＤ−ＶＯＡ１２６で検出された光レベルに基づいて、信号光の減衰量を制御する。光増幅ユニット１２０のコネクタ１２７ａ，１２７ｂには、ＤＣＦ（Dispersion Compensating optical Fiber）１２８が接続され、ＰＤ−ＶＯＡ１２６から出力される信号光の分散補償を行っている。【００１６】
カプラ１２９は、ＤＣＦ１２８から出力される信号光を運用波長光とＯＳＣ光とに分離し、運用波長光はＰｒｅＡＭＰＭｄ１３０に、ＯＳＣ光はＯＳＣユニット１５１に出力する。コネクタ１３２ａ，１３２ｂには、ＯＳＣユニット１５１が接続されている。【００１７】
ＰＤ−ＯＳＣ−Ｕ１３３は、ＯＳＣユニット１５１に入力されるＯＳＣ光の光レベルを検出する。光伝送装置１０２は、ＰＤ−ＯＳＣ−Ｕ１３３の光レベルの検出有無によって、ＤＣＦ１２８とＯＳＣユニット１５１の接続異常（例えば、コネクタ抜け）を監視する。【００１８】
カプラ１３５は、ＰｏｓｔＡＭＰＭｄ（ＡＭＰＭｄ：Amplifier Module）１３４から出力される運用波長光にＯＳＣユニット１５１から出力されるＯＳＣ光を合波する。合波された信号光は、光伝送装置１０１へ出力される。【００１９】
ＰｒｅＡＭＰＭｄ１３０は、カプラ１２９から出力される運用波長光を増幅し、Ｃｏｒｅユニット１５３に出力する。ＰｒｅＡＭＰＭｄ１３０は、入力段の運用波長光の光レベルを検出するＰＤ−ＡＭＰ１３１を有している。【００２０】
光増幅ユニット１４０のＰｏｓｔＡＭＰＭｄ１４１は、Ｃｏｒｅユニット１５３から出力される運用波長光を増幅する。カプラ１４２は、ＯＳＣユニット１５２から出力されるＯＳＣ光とＰｏｓｔＡＭＰＭｄ１４１から出力される運用波長光とを合波する。合波された信号光は、光伝送装置１０３へ出力される。カプラ１４３は、光伝送装置１０３から受信した信号光を運用波長光とＯＳＣ光とに分岐して、ＯＳＣ光をＯＳＣユニット１５２に出力する。ＰｒｅＡＭＰＭｄ１４４は、カプラ１４３から出力される運用波長光を増幅し、Ｃｏｒｅユニット１５４に出力する。【００２１】
なお、ＰＤ−ＳＩＧ１２３、ＰＤ−ＯＳＣ１２４、ＰＤ−ＶＯＡ１２６、ＰＤ−ＡＭＰ１３１、およびＰＤ−ＯＳＣ−Ｕ１３３は、例えば、タップＰＤ（Photo Diode）またはＰＤとカプラの構成とする。【００２２】
図１１は、光伝送装置の状態を説明する図である。図には、図１０で説明した各ＰＤ（ＰＤ−ＳＩＧ１２３、ＰＤ−ＯＳＣ１２４、ＰＤ−ＡＭＰ１３１、およびＰＤ−ＯＳＣ−Ｕ１３３）の光レベルの検出有無が示してある。図の○は、各ＰＤにおいて光レベルが検出されたことを示し、×は、光レベルが検出されなかったことを示している。【００２３】
Ｎｏ１に示すように、ＰＤ−ＳＩＧ１２３、ＰＤ−ＡＭＰ１３１、およびＰＤ−ＯＳＣ−Ｕ１３３の全てで光レベルが検出された場合、光伝送装置１０２は、通常運用状態にあると判断する。【００２４】
Ｎｏ２に示すように、ＰＤ−ＳＩＧ１２３、ＰＤ−ＡＭＰ１３１、およびＰＤ−ＯＳＣ−Ｕ１３３の全てで光レベルが検出されなかった場合、光伝送装置１０２は、伝送路のロスの増大、信号光の入力低下（ＷＤＭ−ＬＯＳ）と判断する。【００２５】
Ｎｏ３に示すように、ＰＤ−ＳＩＧ１２３で光レベルが検出され、ＰＤ−ＡＭＰ１３１およびＰＤ−ＯＳＣ−Ｕ１３３で光レベルが検出されなかった場合、光伝送装置１０２は、ＤＣＦ１２８またはＯＳＣユニット１５１の接続異常と判断する。しかし、この場合、光伝送装置１０２は、ＯＳＣユニット１５１の接続異常とは特定することができない。ＰＤ−ＯＳＣ−Ｕ１３３で光レベルが検出されなかったことが、ＤＣＦ１２８の接続異常によるものか、ＯＳＣユニット１５１の接続異常によるものか、特定できないからである。【００２６】
Ｎｏ４に示すように、ＰＤ−ＯＳＣ−Ｕ１３３のみで光レベルが検出されなかった場合、光伝送装置１０２は、ＯＳＣユニット１５１の接続異常と判断する（ＯＳＣ−ＬＯＳ）。【００２７】
Ｎｏ５に示すように、ＰＤ−ＡＭＰ１３１のみで光レベルが検出されなかった場合、光伝送装置１０２は、ＷＤＭ−ＬＯＳまたはＰｒｅＡＭＰＭｄ１３０の入力レベル低下（ＤＣＦ−ＬＯＳ）と判断する。【００２８】
Ｎｏ６に示すように、ＰＤ−ＯＳＣ１２４およびＰＤ−ＯＳＣ−Ｕ１３３でのみ光レベルが検出された場合、光伝送装置１０２は、ＤＣＦ１２８は接続異常でない状態と判断する。なお、Ｎｏ６，７では、０波運用状態で運用波長光がないので、ＰＤ−ＯＳＣ１２４の光レベルの有無によって、光伝送装置１０２の状態を判断するようにする。また、運用波長がないので、ＰＤ−ＡＭＰ１３１では、光レベルは検出されない。【００２９】
Ｎｏ７に示すように、ＰＤ−ＯＳＣ１２４で光レベルが検出され、ＰＤ−ＡＭＰ１３１とＰＤ−ＯＳＣ−Ｕ１３３で光レベルが検出されなかった場合、光伝送装置１０２は、ＤＣＦ１２８またはＯＳＣユニット１５１の接続異常と判断する。ＰＤ−ＯＳＣ−Ｕ１３３で光レベルが検出できなかったことが、ＤＣＦ１２８の接続異常によるものか、ＯＳＣユニット１５１の接続異常によるものか、特定できないからである。【００３０】
光伝送装置１０２は、ＤＣＦ１２８の後段でＯＳＣ光を分岐し、ＰＤ−ＯＳＣ−Ｕ１３３でＯＳＣ光の光レベルを監視して、ＯＳＣユニット１５１の接続異常を検出するようにしている。そのため、上記Ｎｏ３，７のように、ＰＤ−ＳＩＧ１２３（Ｎｏ３）またはＰＤ−ＯＳＣ１２４（Ｎｏ７）で光レベルが検出され、ＰＤ−ＯＳＣ−Ｕ１３３で光レベルが検出されなかった場合、光伝送装置１０２は、ＤＣＦ１２８に接続異常が発生したのか、ＯＳＣユニット１５１に接続異常が発生したのか特定できない。【００３１】
なお、２つの増幅部の間にＤＣＦが結合された光増幅装置が提供されている（例えば、特許文献１参照）。また、主信号光と監視制御信号とに分離して、監視制御信号の光レベルを検出する光増幅装置が提供されている（例えば、特許文献２参照）。
【特許文献１】特開２０００−１９６１６９号公報
【特許文献２】特開２００３−１２４８９１号公報
【発明の開示】
【発明が解決しようとする課題】
【００３２】
このように、従来の光伝送装置では、ユニットに接続される部品の接続異常を特定することができないという問題点があった。
本発明はこのような点に鑑みてなされたものであり、ユニットに接続される部品の接続異常を特定することができる光伝送装置を提供することを目的とする。
【課題を解決するための手段】
【００３３】
本発明の一実施態様では上記問題を解決するために、図１に示すような波長多重された信号光を伝送する光伝送装置１において、第１の部品３が接続される第１の接続手段４ａ，４ｂと、第２の部品５が接続される第２の接続手段６ａ，６ｂと、第２の接続手段６ａ，６ｂの前段に設けられ、信号光を第１の接続手段４ａ，４ｂを介して第１の部品３に出力する分岐手段７と、第１の部品３が分岐手段７から出力される信号光を受信しているか否か検出する第１の検出手段８と、第２の接続手段６ａ，６ｂの後段に設けられ、信号光を検出する第２の検出手段９と、を備えたユニット２、を有することを特徴とする光伝送装置１が提供される。【００３４】
このような光伝送装置１によれば、第２の部品５の前段において、信号光を第１の部品に出力するようにし、第１の検出手段８によって、第１の部品３が信号光を受信したか否か検出する。また、第２の部品５の後段において、第２の検出手段９によって、信号光を検出する。【００３５】
これにより、第１の検出手段８によって、第１の部品３の接続異常を検出でき、第２の検出手段９によって、第２の部品の接続異常を検出できる。
【発明の効果】
【００３６】
本発明の光伝送装置では、第２の部品の前段において、信号光を第１の部品に出力するようにし、第１の検出手段によって、第１の部品が信号光を受信したか否か検出する。また、第２の部品の後段において、第２の検出手段によって、信号光を検出するようにした。【００３７】
これによって、第１の検出手段によって、第１の部品の接続異常を検出でき、第２の検出手段によって、第２の部品の接続異常を検出できるので、第１の部品と第２の部品との接続異常を特定することができるようになる。【００３８】
本発明の上記および他の目的、特徴および利点は本発明の例として好ましい実施の形態を表す添付の図面と関連した以下の説明により明らかになるであろう。
【図面の簡単な説明】
【００３９】
【図１】光伝送装置の概要を示した図である。
【図２】第１の実施の形態に係る光伝送装置のブロック構成図である。
【図３】光伝送装置の状態を説明する図である。
【図４】光伝送装置の動作を示したフローチャートである。
【図５】第２の実施の形態に係る光伝送装置のブロック構成図である。
【図６】光伝送装置の状態を説明する図である。
【図７】光伝送装置の動作を示したフローチャートである。
【図８】光伝送装置の動作を示したフローチャートである。
【図９】光リングネットワークの例を示した図である。
【図１０】光伝送装置のブロック構成図である。
【図１１】光伝送装置の状態を説明する図である。
【発明を実施するための最良の形態】
【００４０】
以下、本発明の原理を図面を参照して詳細に説明する。
図１は、光伝送装置の概要を示した図である。図に示すように光伝送装置１は、ユニット２を有している。ユニット２は、第１の接続手段４ａ，４ｂ、第２の接続手段６ａ，６ｂ、分岐手段７、第１の検出手段８、および第２の検出手段９を有している。【００４１】
第１の接続手段４ａ，４ｂには、第１の部品３が接続される。第２の接続手段６ａ，６ｂには、第２の部品５が接続される。第１の部品３は、例えば、監視制御信号光を監視するＯＳＣユニットである。また、第２の部品５は、例えば、ＤＣＦである。【００４２】
分岐手段７は、第２の接続手段６ａ，６ｂの前段に設けられ、他の光伝送装置から受信した信号光を第１の接続手段４ａ，４ｂと第２の部品５とに分岐して出力する。
第１の検出手段８は、第１の部品３が分岐手段７から出力される信号光を受信しているか否か検出する。【００４３】
第２の検出手段９は、第２の接続手段６ａ，６ｂの後段に設けられ、信号光を検出する。
このように光伝送装置１では、第２の部品５の前段において、信号光を第１の部品３に出力するようにし、第１の検出手段８によって、第１の部品３が信号光を受信したか否か検出する。また、第２の部品５の後段において、第２の検出手段９によって、信号光を検出する。【００４４】
これによって、第１の検出手段８によって、第１の部品３の接続異常を検出でき、第２の検出手段９によって、第２の部品５の接続異常を検出できるので、第１の部品３と第２の部品５との接続異常を特定することができるようになる。【００４５】
次に、本発明の第１の実施の形態を図面を参照して詳細に説明する。
図２は、第１の実施の形態に係る光伝送装置のブロック構成図である。図に示すように、光伝送装置１０は、光増幅ユニット２０，５０、ＯＳＣユニット６１，６２、およびＣｏｒｅユニット６３，６４を有している。ユニットのそれぞれは、例えば、１つの基板で構成され、コネクタを介して接続されている。なお、光伝送装置１０は、例えば、光リングネットワークを構成し、上流側に光伝送装置Ａ、下流側に光伝送装置Ｂが接続されているとする。【００４６】
光増幅ユニット２０は、光伝送装置Ａから受信した信号光を増幅し、Ｃｏｒｅユニット６３に出力する。Ｃｏｒｅユニット６３は、信号光を分岐・挿入し、光増幅ユニット５０に出力する。光増幅ユニット５０は、Ｃｏｒｅユニット６３から出力される信号光を増幅し、光伝送装置Ｂへ出力する。【００４７】
また、光増幅ユニット５０は、光伝送装置Ｂから受信した信号光を増幅し、Ｃｏｒｅユニット６４に出力する。Ｃｏｒｅユニット６４は、信号光を分岐・挿入し、光増幅ユニット２０に出力する。光増幅ユニット２０は、Ｃｏｒｅユニット６４から出力される信号光を増幅し、光伝送装置Ａへ出力する。【００４８】
ＯＳＣユニット６１は、光伝送装置Ａから受信した信号光に含まれるＯＳＣ光に基づいて、光ネットワークの警報等を監視し、また、光伝送装置１０自身の警報等を監視する。ＯＳＣユニット６１は、収集した光ネットワークの警報情報や光伝送装置１０自身の警報情報を、光増幅ユニット２０を介して光伝送装置Ａへ出力する。【００４９】
ＯＳＣユニット６２は、光伝送装置Ｂから受信した信号光に含まれるＯＳＣ光に基づいて、光ネットワークの警報等を監視し、また、光伝送装置１０自身の警報等を監視する。ＯＳＣユニット６２は、収集した光ネットワークの警報情報や光伝送装置１０自身の警報情報を、光増幅ユニット５０を介して光伝送装置Ｂへ出力する。【００５０】
光増幅ユニット２０は、カプラ２１，２２，２９，３６、ＰＤ−ＳＩＧ２３、ＰＤ−ＯＳＣ２４、ＶＯＡ２５、ＰＤ−ＶＯＡ２６、コネクタ２７ａ，２７ｂ，３３ａ，３３ｂ、ＰｒｅＡＭＰＭｄ３０、ＰＤ−ＯＳＣ−Ｒ３２、ＰＤ−ＯＳＣ−Ｕ３４、およびＰｏｓｔＡＭＰＭｄ３５を有している。ＰＤ−ＳＩＧ２３、ＰＤ−ＯＳＣ２４、ＰＤ−ＶＯＡ２６、ＰＤ−ＡＭＰ３１、ＰＤ−ＯＳＣ−Ｒ３２、およびＰＤ−ＯＳＣ−Ｕ３４は、例えば、タップＰＤまたはＰＤとカプラの構成とする。【００５１】
カプラ２１は、光伝送装置Ａから受信した信号光を分岐し、カプラ２２とＶＯＡ２５とに出力する。
カプラ２２は、カプラ２１から出力される信号光を運用波長光とＯＳＣ光とに分離し、運用波長光はＰＤ−ＳＩＧ２３に出力し、ＯＳＣ光はＰＤ−ＯＳＣ２４に出力する。ＰＤ−ＳＩＧ２３は、カプラ２２から出力される運用波長光の光レベルを検出する。ＰＤ−ＯＳＣ２４は、カプラ２２から出力されるＯＳＣ光の光レベルを検出する。【００５２】
ＶＯＡ２５は、ＰＤ−ＶＯＡ２６で検出された光レベルに基づいて、信号光の減衰量を制御する。ＰＤ−ＶＯＡ２６は、ＶＯＡ２５から出力される信号光の光レベルを検出する。【００５３】
光増幅ユニット２０のコネクタ２７ａ，２７ｂには、ＤＣＦ２８が接続される。ＤＣＦ２８は、ＰＤ−ＶＯＡ２６から出力される信号光の分散補償を行っている。
カプラ２９は、ＤＣＦ２８から出力される信号光を運用波長光とＯＳＣ光とに分離し、運用波長光はＰｒｅＡＭＰＭｄ３０に出力し、ＯＳＣ光はＰＤ−ＯＳＣ−Ｒ３２に出力する。ＰＤ−ＯＳＣ−Ｒ３２は、カプラ２９から出力されるＯＳＣ光の光レベルを検出する。【００５４】
ＰｒｅＡＭＰＭｄ３０は、光増幅器とその光増幅器の入力段の光レベルを検出するためのＰＤ−ＡＭＰ３１とを有している。ＰｒｅＡＭＰＭｄ３０は、カプラ２９から出力される運用波長光を増幅し、Ｃｏｒｅユニット６３へ出力する。【００５５】
光増幅ユニット２０のコネクタ３３ａ，３３ｂには、ＯＳＣユニット６１が接続される。ＰＤ−ＯＳＣ２４から出力されるＯＳＣ光は、コネクタ３３ａを介して、ＯＳＣユニット６１に入力される。【００５６】
ＰＤ−ＯＳＣ−Ｕ３４は、ＯＳＣユニット６１に入力されるＯＳＣ光の光レベルを検出する。ＯＳＣユニット６１から出力されるＯＳＣ光は、カプラ３６へ出力される。
ＰｏｓｔＡＭＰＭｄ３５は、Ｃｏｒｅユニット６４から出力される運用波長光を増幅する。カプラ３６は、ＯＳＣユニット６１から出力されるＯＳＣ光とＰｏｓｔＡＭＰＭｄ３５から出力される運用波長光とを合波する。合波された信号光は、光伝送装置Ａへ出力される。【００５７】
制御部３７は、ＰＤ−ＳＩＧ２３、ＰＤ−ＯＳＣ２４，ＰＤ−ＡＭＰ３１，ＰＤ−ＯＳＣ−Ｒ３２、およびＰＤ−ＯＳＣ−Ｕ３４の光レベルの検出有無に基づいて、ＤＣＦ２８およびＯＳＣユニット６１の接続異常やＷＤＭ−ＬＯＳなどの警報を検出する。また、制御部３７は、ＤＣＦ２８の接続異常を検出すると、光増幅ユニット２０とＤＣＦ２８の接続部分から信号光が出力されないようにＶＯＡ２５を制御する。また、制御部３７は、ＤＣＦ２８の接続異常およびＰｒｅＡＭＰＭｄ３０の入力異常を検出するとＡＰＳＤを実行する。【００５８】
光増幅ユニット５０は、ＰｏｓｔＡＭＰＭｄ５１、カプラ５２，５４、コネクタ５３ａ，５３ｂ、およびＰｒｅＡＭＰＭｄ５５を有している。
ＰｏｓｔＡＭＰＭｄ５１は、Ｃｏｒｅユニット６３から出力される運用波長光を増幅する。カプラ５２は、ＯＳＣユニット６２から出力されるＯＳＣ光とＰｏｓｔＡＭＰＭｄ５１から出力される運用波長光とを合波する。合波された信号光は、光伝送装置Ｂへ出力される。【００５９】
カプラ５４は、光伝送装置Ｂから受信した信号光を運用波長光とＯＳＣ光とに分離し、運用波長光はＰｒｅＡＭＰＭｄ５５に出力し、ＯＳＣ光はコネクタ５３ｂに出力する。光増幅ユニット５０のコネクタ５３ａ，５３ｂには、ＯＳＣユニット６２が接続されている。ＰｒｅＡＭＰＭｄ５５は、カプラ５４から出力される運用波長光を増幅し、Ｃｏｒｅユニット６４に出力する。【００６０】
図２の光伝送装置１０では、光伝送装置Ａから受信した信号光は、ＤＣＦ２８の前段のカプラ２１によって分岐され、さらに、カプラ２２によって運用波長光とＯＳＣ光とに分離される。カプラ２２によって分離されたＯＳＣ光は、ＯＳＣユニット６１に出力され、ＯＳＣユニット６１でのＯＳＣ光の光レベルが、ＰＤ−ＯＳＣ−Ｕ３４によって検出される。このように、ＤＣＦ２８を透過する前のＯＳＣ光によって、ＯＳＣユニット６１の接続異常を検出する。【００６１】
また、光伝送装置Ａから受信した信号光は、ＤＣＦ２８を透過した後、ＤＣＦ２８の後段のカプラ２９によってＯＳＣ光が分離される。そして、ＤＣＦ２８の後段のＰＤ−ＯＳＣ−Ｒ３２によって、ＯＳＣ光の光レベルの有無を検出することにより、ＤＣＦ２８の接続異常を検出する。【００６２】
このように、ＤＣＦ２８の前段で、ＯＳＣユニット６１の接続異常を検出するようにし、ＤＣＦ２８の後段で、ＤＣＦ２８の接続異常を検出するようにすることにより、ＯＳＣユニット６１とＤＣＦ２８との接続異常を特定することができる。【００６３】
図３は、光伝送装置の状態を説明する図である。図には、図２で説明したＰＤ−ＳＩＧ２３、ＰＤ−ＯＳＣ２４、ＰＤ−ＡＭＰ３１、ＰＤ−ＯＳＣ−Ｒ３２、およびＰＤ−ＯＳＣ−Ｕ３４の光レベルの検出有無が示してある。図の○は、ＰＤ−ＳＩＧ２３、ＰＤ−ＯＳＣ２４、ＰＤ−ＡＭＰ３１、ＰＤ−ＯＳＣ−Ｒ３２、およびＰＤ−ＯＳＣ−Ｕ３４において光レベルが検出されたことを示し、×は、光レベルが検出されなかったことを示している。【００６４】
Ｎｏ１に示すように、ＰＤ−ＳＩＧ２３、ＰＤ−ＡＭＰ３１、ＰＤ−ＯＳＣ−Ｒ３２、およびＰＤ−ＯＳＣ−Ｕ３４で光レベルが検出された場合、光伝送装置１０は、通常運用状態にあると判断する。【００６５】
Ｎｏ２に示すように、ＰＤ−ＳＩＧ２３、ＰＤ−ＡＭＰ３１、ＰＤ−ＯＳＣ−Ｒ３２、およびＰＤ−ＯＳＣ−Ｕ３４で光レベルが検出されなかった場合、光伝送装置１０は、ＷＤＭ−ＬＯＳと判断する。【００６６】
Ｎｏ３に示すように、ＰＤ−ＳＩＧ２３とＰＤ−ＯＳＣ−Ｕ３４で光レベルが検出され、ＰＤ−ＡＭＰ３１とＰＤ−ＯＳＣ−Ｒ３２で光レベルが検出されなかった場合、光伝送装置１０は、ＤＣＦ２８の接続異常と判断する。ＰＤ−ＯＳＣ−Ｕ３４で光レベルが検出されているので、ＯＳＣユニット６１の接続異常ではないと判断でき、ＰＤ−ＯＳＣ−Ｒ３２で光レベルが検出されなかったので、ＤＣＦ２８の接続異常が発生したと判断できるため、ＤＣＦ２８の接続異常を特定することができる。【００６７】
Ｎｏ４に示すように、ＰＤ−ＯＳＣ−Ｕ３４のみで光レベルが検出されなかった場合、光伝送装置１０は、ＯＳＣユニット６１の接続異常と判断する。
Ｎｏ５に示すように、ＰＤ−ＡＭＰ３１のみで光レベルが検出されなかった場合、光伝送装置１０は、ＤＣＦ−ＬＯＳと判断する。すなわち、ＰＤ−ＯＳＣ−Ｒ３２で光レベルが検出されているので、ＤＣＦ２８の接続異常は発生していないと判断でき、ＰｒｅＡＭＰＭｄ３０の入力で異常が発生していると判断できる。【００６８】
以下、Ｎｏ６〜８では、０波運用状態で運用波長光がないので、ＰＤ−ＯＳＣ２４の光レベルの有無によって、光伝送装置１０は状態を判断する。また、運用波長光がないので、ＰＤ−ＡＭＰ３１では、光レベルは検出されない。【００６９】
Ｎｏ６に示すように、ＰＤ−ＯＳＣ２４およびＰＤ−ＯＳＣ−Ｕ３４でのみ光レベルが検出された場合、光伝送装置１０は、ＤＣＦ２８の接続異常であると判断する。ＰＤ−ＯＳＣ−Ｕ３４の光レベルの検出で、ＯＳＣユニット６１に接続異常が発生していないと判断できるため、ＤＣＦ２８の接続異常と特定することができる。【００７０】
Ｎｏ７に示すように、ＰＤ−ＯＳＣ２４とＰＤ−ＯＳＣ−Ｒ３２とで光レベルが検出された場合、光伝送装置１０は、ＯＳＣユニット６１の接続異常と判断する。ＰＤ−ＯＳＣ−Ｒ３２で光レベルが検出され、ＰＤ−ＯＳＣ−Ｕ３４で光レベルが検出されていないので、ＯＳＣユニット６１の接続異常と特定することができる。【００７１】
ＯＳＣユニット６１の接続異常と判断されるので、運用波長光の経路には問題がなく、ＰｒｅＡＭＰＭｄ３０は通常状態（ＡＧＣ（Auto Gain Control）またはＡＧＣシャットダウン状態）で運用可能である。従って、従来では、ＤＣＦ２８とＯＳＣユニット６１の接続異常を特定できなかったため上流の光伝送装置Ａは、ＡＰＳＤの移行により再立ち上げが必要であったが、図２の光伝送装置１０では、ＤＣＦ２８とＯＳＣユニット６１の接続異常を特定でき、ＯＳＣユニット６１の接続異常の場合、ＡＰＳＤに移行させなくて済む。【００７２】
Ｎｏ８に示すように、ＰＤ−ＡＭＰ３１でのみ光レベルが検出されなかった場合、光伝送装置１０は、ＤＣＦ２８およびＯＳＣユニット６１の接続異常はなかったと判断する。ＰＤ−ＯＳＣ−Ｒ３２およびＰＤ−ＯＳＣ−Ｕ３４で光レベルが検出されているからである。【００７３】
このように、ＤＣＦ２８の前段で、ＯＳＣユニット６１の接続異常を検出するようにし、ＤＣＦ２８の後段で、ＤＣＦ２８の接続異常を検出するようにしたことにより、ＯＳＣユニット６１とＤＣＦ２８との接続異常を特定することができる。【００７４】
なお、前記のＮｏ３，６では、光伝送装置１０は、ＤＣＦ２８の接続異常発生に伴うＡＰＳＤ動作により、上流にある光伝送装置ＡのＰｏｓｔＡＭＰＭｄのシャットダウンを実施する。しかし、ＡＰＳＤの移行中に、信号光が光伝送装置１０に入力される場合、光増幅ユニット２０とＤＣＦ２８との接続部分から高パワーの光レベルが出力する場合がある。【００７５】
そこで、制御部３７は、ＤＣＦ２８の接続異常を検出した場合には、ＶＯＡ２５の減衰量を増加させ、光増幅ユニット２０とＤＣＦ２８の接続部分から、高いパワーの信号光が出力されないようにする。【００７６】
通常、ＶＯＡ２５の減衰量の目標値は、ＰＤ−ＯＳＣ−Ｒ３２とＰＤ−ＡＭＰ３１が光レベルをモニタできる最低検出レベルと、ＤＣＦ２８の最大損失とを考慮して決定する。ＤＣＦ２８の異常発生時では、ＰＤ−ＶＯＡ２６により、信号光（０波運用状態ではＯＳＣ光）の光レベルを検出し、その検出レベルが目標値となるようにＶＯＡ２５を制御する。具体的には、ＰＤ−ＶＯＡ２６で検出される光レベル＝ＰＤ−ＯＳＣ−Ｒ３２の最低モニタレベル＋ＤＣＦ２８の最大ロス値、となるようにＶＯＡ２５を制御する。【００７７】
このようにＶＯＡ２５を制御することにより、運用波長光の有無に関わらず、ＤＣＦ２８の接続異常状態において、光増幅ユニット２０とＤＣＦ２８の接続部分からの高パワーの信号光の出力を防止することができる。【００７８】
図４は、光伝送装置の動作を示したフローチャートである。
［ステップＳ１］光伝送装置１０は、ＰＤ−ＳＩＧ２３の光レベルが通常レベルであるか否か判断する。すなわち、光伝送装置１０は、通常運用状態にあるか否か判断する。光レベルが通常レベルにある場合、ステップＳ２へ進む。光レベルが通常レベルにない場合、ステップＳ１０へ進む。なお、通常運用状態および０波運用状態にあるか否かの判断は、上流の光伝送装置Ａから波長数情報を受信することによって行うことも可能である。【００７９】
［ステップＳ２］光伝送装置１０は、ＰＤ−ＡＭＰ３１の光レベルに基づいて、運用波長光（主信号）が断状態にあるか否か判断する。ＰＤ−ＡＭＰ３１の光レベルが所定の光レベルにない場合、すなわち、主信号の断状態を判断した場合は、ステップＳ３へ進む。主信号の断状態を判断しなかった場合は、ステップＳ７へ進む。【００８０】
［ステップＳ３］光伝送装置１０は、ＰＤ−ＯＳＣ−Ｒ３２のＯＳＣ光が断状態であるか否か判断する。すなわち、光伝送装置１０は、ＰＤ−ＯＳＣ−Ｒ３２で所定の光レベルのＯＳＣ光が検出できたか否か判断する。ＯＳＣ光が断状態であれば、ステップＳ４へ進む。ＯＳＣ光が断状態でなければ、ステップＳ５へ進む。【００８１】
［ステップＳ４］光伝送装置１０は、ＤＣＦ２８の接続異常状態を検出する。すなわち、光伝送装置１０は、ＰＤ−ＡＭＰ３１およびＰＤ−ＯＳＣ−Ｒ３２で主信号およびＯＳＣ光の光レベルを検出できなかった場合、ＤＣＦ２８の接続異常状態を検出する。【００８２】
［ステップＳ５］光伝送装置１０は、ＰｒｅＡＭＰＭｄ３０の入力異常状態を検出する。すなわち、光伝送装置１０は、ＰＤ−ＡＭＰ３１で光レベルを検出できなかったが、ＰＤ−ＯＳＣ−Ｒ３２で光レベルを検出できたので、ＰｒｅＡＭＰＭｄ３０の入力異常状態を検出する。【００８３】
［ステップＳ６］光伝送装置１０は、ＡＰＳＤ状態に移行し、例えば、上流の光伝送装置Ａに対し、信号光を出力しないように制御する。また、ＡＰＳＤ状態の移行の際、ＤＣＦ２８と光増幅ユニット２０との接続部分から高パワーの信号光が出力される場合があるので、光伝送装置１０は、ＶＯＡ２５の減衰量を増加するように制御する。【００８４】
［ステップＳ７］光伝送装置１０は、ＰＤ−ＯＳＣ−Ｕ３４でＯＳＣ光の断状態が検出されたか否か判断する。すなわち、光伝送装置１０は、ＯＳＣユニット６１の接続異常を判断する。光伝送装置１０は、ＯＳＣ光の断状態が検出された場合、ステップＳ８へ進む。ＯＳＣの断状態が検出されなかった場合、ステップＳ９へ進む。【００８５】
［ステップＳ８］光伝送装置１０は、ＯＳＣ−ＬＯＳを検出する。
［ステップＳ９］光伝送装置１０は、通常運用状態にあると検出する。
［ステップＳ１０］光伝送装置１０は、ＰＤ−ＯＳＣ２４の光レベルが通常レベルであるか否か判断する。光レベルが通常レベルにある場合、ステップＳ１２へ進む。光レベルが通常レベルにない場合、ステップＳ１１へ進む。【００８６】
［ステップＳ１１］光伝送装置１０は、ＷＤＭ−ＬＯＳを検出し、ステップＳ６へ進む。
［ステップＳ１２］光伝送装置１０は、ＰＤ−ＯＳＣ−Ｒ３２において、光レベルが検出されたか否か判断する。ＰＤ−ＯＳＣ−Ｒ３２において、光レベルが検出されなかった場合、ステップＳ１３へ進む。ＰＤ−ＯＳＣ−Ｒ３２において、光レベルが検出された場合、ステップＳ１４へ進む。【００８７】
［ステップＳ１３］光伝送装置１０は、ＤＣＦ２８の接続異常を判断する。
［ステップＳ１４］光伝送装置１０は、ＰＤ−ＯＳＣ−Ｕ３４の光レベルの検出有無を判断する。すなわち、光伝送装置１０は、ＯＳＣユニット６１の接続異常を判断する。光伝送装置１０は、ＰＤ−ＯＳＣ−Ｕ３４の光レベルを検出できたと判断した場合、ステップＳ１６へ進む。ＰＤ−ＯＳＣ−Ｕ３４の光レベルを検出できなかったと判断した場合、ステップＳ１５へ進む。【００８８】
［ステップＳ１５］光伝送装置１０は、ＯＳＣ−ＬＯＳを検出する。
［ステップＳ１６］光伝送装置１０は、正常な０波運用状態にあると判断する。
なお、光伝送装置１０は、ステップＳ７，Ｓ１４において、ＯＳＣユニット６１の接続異常を判断した場合には、ＡＰＳＤ状態への移行およびＶＯＡ２５の制御を行わない。運用波長の経路は切断されておらず、通常運用状態での運用が可能だからである。【００８９】
このように、光伝送装置１０では、ＤＣＦ２８の前段で、ＯＳＣユニット６１の接続異常を検出するようにし、ＤＣＦ２８の後段で、ＤＣＦ２８の接続異常を検出するようにした。これにより、ＯＳＣユニット６１とＤＣＦ２８との接続異常を特定することができる。【００９０】
また、ＯＳＣユニット６１とＤＣＦ２８との接続異常を特定することにより、ＤＣＦ２８の接続異常においても、ＯＳＣユニット６１に入力されるＯＳＣ光を遮断することなく、ＯＳＣ光を用いた監視制御が可能となる。【００９１】
また、信号光に含まれるＯＳＣ光に基づいてＯＳＣユニット６１とＤＣＦ２８の接続異常を特定するので、０波運用状態においても、ＯＳＣユニット６１とＤＣＦ２８との接続異常を特定することができる。【００９２】
また、ＶＯＡ２５の制御により、ＤＣＦ２８の接続部分から高パワーの信号光が出力を抑制するので、安全である。
また、ＤＣＦ２８で接続異常は発生しておらず、ＯＳＣユニット６１で接続異常が発生した場合には、ＡＰＳＤへ移行しないようにした。これにより、不要なＡＰＳＤ動作が必要なくなる。【００９３】
さらに、ＤＣＦ２８の接続異常を、光増幅ユニット２０の閉じた状態で検出するので（１ユニット内でＤＣＦ２８の接続異常を検出するので）、他ユニット間との情報の受け渡しが不要で、制御を簡単化することができる。【００９４】
次に、本発明の第２の実施の形態を図面を参照して詳細に説明する。第２の実施の形態では、光伝送装置が２段のＰｒｅＡＭＰＭｄを有する場合について説明する。また、ＤＣＦおよびＯＳＣユニットの接続異常の特定を行うとともに、Ｃｏｒｅユニットの入力異常も検出する場合について説明する。【００９５】
図５は、第２の実施の形態に係る光伝送装置のブロック構成図である。図５の光伝送装置７０では、図２の光伝送装置１０に対し、カプラ２１の後段でＤＣＦ２８の前段にＰｒｅＡＭＰＭｄ７１を有している。また、Ｃｏｒｅユニット７２は、入力段にカプラ７３とＰＤ−ＯＳＣ−Ｃｏｒｅ７４を有している。ＰＤ−ＯＳＣ−Ｃｏｒｅ７４は、例えば、タップＰＤまたはＰＤとカプラの構成とする。図５において、図２と同じものには同じ符号を付し、その説明を省略する。【００９６】
光伝送装置７０は、ＤＣＦ２８の前後段にＰｒｅＡＭＰＭｄ７１，３０を有している。光伝送装置７０では、増幅帯域外の波長で運用されるＯＳＣ光が透過な場合を前提する。すなわち、光伝送装置７０では、ＯＳＣ光の波長に対してロスが小さく、ＰｒｅＡＭＰＭｄ３０の後段に配置されるＣｏｒｅユニット７２のＰＤ−ＯＳＣ−Ｃｏｒｅ７４で、ＯＳＣ光が検出可能であるとする。【００９７】
光増幅ユニット２０から出力される信号光は、Ｃｏｒｅユニット７２に入力される。Ｃｏｒｅユニット７２の前段には、カプラ７３が設けられており、信号光に含まれるＯＳＣ光を分岐して、ＰＤ−ＯＳＣ−Ｃｏｒｅ７４に出力する。【００９８】
ＰＤ−ＯＳＣ−Ｃｏｒｅ７４は、ＯＳＣ光の光レベルを検出する。制御部７５は、ＰＤ−ＳＩＧ２３、ＰＤ−ＯＳＣ２４，ＰＤ−ＡＭＰ３１，ＰＤ−ＯＳＣ−Ｒ３２、ＰＤ−ＯＳＣ−Ｕ３４、およびＰＤ−ＯＳＣ−Ｃｏｒｅ７４の光レベルの検出有無に基づいて、ＤＣＦ２８およびＯＳＣユニット６１の接続異常やＷＤＭ−ＬＯＳ、Ｃｏｒｅユニット７２の入力異常などを検出する。また、制御部７５は、ＤＣＦ２８の接続異常を検出すると、光増幅ユニット２０とＤＣＦ２８の接続部分で信号光が出力されないようにＶＯＡ２５を制御する。また、制御部７５は、ＤＣＦ２８の接続異常、ＰｒｅＡＭＰＭｄ３０の入力異常、およびＣｏｒｅユニット７２の入力異常を検出するとＡＰＳＤを実行する。【００９９】
図６は、光伝送装置の状態を説明する図である。図には、図５で説明したＰＤ−ＳＩＧ２３、ＰＤ−ＯＳＣ２４、ＰＤ−ＡＭＰ３１、ＰＤ−ＯＳＣ−Ｒ３２、ＰＤ−ＯＳＣ−Ｕ３４、およびＰＤ−ＯＳＣ−Ｃｏｒｅ７４の光レベルの検出有無が示してある。図の○は、ＰＤ−ＳＩＧ２３、ＰＤ−ＯＳＣ２４、ＰＤ−ＡＭＰ３１、ＰＤ−ＯＳＣ−Ｒ３２、ＰＤ−ＯＳＣ−Ｕ３４、およびＰＤ−ＯＳＣ−Ｃｏｒｅ７４において光レベルが検出されたことを示し、×は、光レベルが検出されなかったことを示している。【０１００】
Ｎｏ１に示すように、ＰＤ−ＳＩＧ２３、ＰＤ−ＡＭＰ３１、ＰＤ−ＯＳＣ−Ｒ３２、ＰＤ−ＯＳＣ−Ｕ３４、およびＰＤ−ＯＤＣ−Ｃｏｒｅ７４の全てで光レベルが検出された場合、光伝送装置７０は、通常運用状態にあると判断する。【０１０１】
Ｎｏ２に示すように、ＰＤ−ＳＩＧ２３、ＰＤ−ＡＭＰ３１、ＰＤ−ＯＳＣ−Ｒ３２、ＰＤ−ＯＳＣ−Ｕ３４、およびＰＤ−ＯＳＣ−Ｃｏｒｅ７４の全てで光レベルが検出されなかった場合、光伝送装置７０は、ＷＤＭ−ＬＯＳと判断する。【０１０２】
Ｎｏ３に示すように、ＰＤ−ＳＩＧ２３とＰＤ−ＯＳＣ−Ｕ３４で光レベルが検出され、ＰＤ−ＡＭＰ３１とＰＤ−ＯＳＣ−Ｒ３２とＰＤ−ＯＳＣ−Ｃｏｒｅ７４とで光レベルが検出されなかった場合、光伝送装置７０は、ＤＣＦ２８のコネクタ２７ａ，２７ｂ抜けと判断する。ＰＤ−ＯＳＣ−Ｕ３４で光レベルが検出されているので、ＯＳＣユニット６１の接続異常はないと判断でき、ＰＤ−ＯＳＣ−Ｒ３２で光レベルが検出されなかったので、ＤＣＦ２８の接続異常が発生したと判断できる。【０１０３】
Ｎｏ４に示すように、ＰＤ−ＯＳＣ−Ｕ３４のみで光レベルが検出されなかった場合、光伝送装置７０は、ＯＳＣユニット６１の接続異常と判断する。
Ｎｏ５に示すように、ＰＤ−ＡＭＰ３１のみで光レベルが検出されなかった場合、光伝送装置７０は、ＷＤＭ−ＬＯＳと判断する。すなわち、ＰＤ−ＯＳＣ−Ｒ３２で光レベルが検出されているので、ＤＣＦ２８のコネクタ抜けは発生していないと判断でき、ＰｒｅＡＭＰＭｄ３０の入力で異常が発生していると判断できる。【０１０４】
Ｎｏ６に示すように、ＰＤ−ＯＳＣ−Ｃｏｒｅ７４のみで光レベルが検出されなかった場合、Ｃｏｒｅユニット７２の入力異常（信号光の入力低下）と判断する。
以下のＮｏ７〜１０では、０波運用状態で運用波長がないので、ＰＤ−ＯＳＣ２４の光レベルの有無によって、光伝送装置７０の状態を判断するようにする。また、運用波長がないので、ＰＤ−ＡＭＰ３１では、光レベルは検出されない。【０１０５】
Ｎｏ７に示すように、ＰＤ−ＯＳＣ２４およびＰＤ−ＯＳＣ−Ｕ３４でのみ光レベルが検出された場合、光伝送装置７０は、ＤＣＦ２８の接続異常であると判断する。ＰＤ−ＯＳＣ−Ｕ３４の光レベルの検出で、ＯＳＣユニット６１の接続異常が発生していないと判断できるため、ＤＣＦ２８の接続異常を特定することができる。【０１０６】
Ｎｏ８に示すように、ＰＤ−ＯＳＣ２４とＰＤ−ＯＳＣ−Ｒ３２とＰＤ−ＯＳＣ−Ｕ３４とで光レベルが検出された場合、光伝送装置７０は、Ｃｏｒｅユニット７２の入力異常と判断する。【０１０７】
Ｎｏ９に示すように、ＰＤ−ＯＳＣ２４、ＰＤ−ＯＳＣ−Ｒ３２、ＰＤ−ＯＳＣ−Ｃｏｒｅ７４で光レベルが検出された場合、光伝送装置７０は、ＯＳＣユニット６１の接続異常と判断する。ＰＤ−ＯＳＣ−Ｒ３２で光レベルが検出され、ＰＤ−ＯＳＣ−Ｕ３４で光レベルが検出されていないので、ＯＳＣユニット６１の接続異常と特定することができる。【０１０８】
Ｎｏ１０に示すように、ＰＤ−ＡＭＰ３１でのみ光レベルが検出されなかった場合、光伝送装置７０は、ＤＣＦ２８およびＯＳＣユニット６１の接続異常はないと判断する。
このように、ＤＣＦ２８の前段で、ＯＳＣユニット６１のコネクタの抜けを検出するようにし、ＤＣＦ２８の後段で、ＤＣＦ２８のコネクタ抜けを検出するようにすることにより、ＯＳＣユニット６１とＤＣＦ２８とのコネクタ抜けの区別をすることができる。また、ＰＤ−ＯＳＣ−Ｃｏｒｅ７４でＣｏｒｅユニット７２の入力段のＯＳＣ光を監視することにより、Ｃｏｒｅユニット７２の入力異常を検出することができる。【０１０９】
図７，８は、光伝送装置の動作を示したフローチャートである。
ステップＳ２１〜ステップＳ２６の処理は、図４で説明したステップＳ１〜ステップＳ６の処理と同様であり、その説明を省略する。【０１１０】
［ステップＳ２７］光伝送装置７０は、Ｃｏｒｅユニット７２の入力段で信号光の断状態があったか否か判断する。Ｃｏｒｅユニット７２の入力段で信号光の断状態があった場合、ステップＳ２８へ進む。Ｃｏｒｅユニット７２の入力段で信号光の断状態がなければ、ステップＳ２９へ進む。【０１１１】
［ステップＳ２８］光伝送装置７０は、Ｃｏｒｅユニット７１の入力異常を検出する。光伝送装置７０は、ステップＳ２６へ進み、ＡＰＳＤおよびＶＯＡ２５の制御を行う。
［ステップＳ２９］光伝送装置７０は、ＰＤ−ＯＳＣ−Ｕ３４でＯＳＣ光の断状態が検出されたか否か判断する。すなわち、光伝送装置７０は、ＯＳＣユニット６１の接続異常を判断する。光伝送装置７０は、ＯＳＣ光の断状態が検出された場合、ステップＳ３０へ進む。ＯＳＣ光の断状態が検出されなかった場合、ステップＳ３１へ進む。【０１１２】
［ステップＳ３０］光伝送装置７０は、ＯＳＣ−ＬＯＳを検出する。
［ステップＳ３１］光伝送装置７０は、通常運用状態にあると検出する。
ステップＳ３２〜ステップＳ３５の処理は、図４で説明したステップＳ１０〜ステップＳ１３の処理と同様であり、その説明を省略する。【０１１３】
［ステップＳ３６］光伝送装置７０は、ＰＤ−ＯＳＣ−Ｃｏｒｅ７４の光レベルに基づいて、Ｃｏｒｅユニット７２の入力段でＯＳＣ光の断状態があったか否か判断する。Ｃｏｒｅユニット７２の入力段でＯＳＣ光の断状態があった場合、ステップＳ３７へ進む。Ｃｏｒｅユニット７２の入力段でＯＳＣ光の断状態がなければ、ステップＳ３８へ進む。【０１１４】
［ステップＳ３７］光伝送装置７０は、Ｃｏｒｅユニット７１の入力異常を検出する。光伝送装置７０は、ステップＳ２６へ進み、ＡＰＳＤおよびＶＯＡ２５の制御を行う。
［ステップＳ３８］光伝送装置７０は、ＰＤ−ＯＳＣ−Ｕ３４でＯＳＣ光の断状態が検出されたか否か判断する。すなわち、光伝送装置７０は、ＯＳＣユニット６１の接続異常を判断する。光伝送装置７０は、ＯＳＣ光の断状態が検出された場合、ステップＳ３９へ進む。ＯＳＣ光の断状態が検出されなかった場合、ステップＳ４０へ進む。【０１１５】
［ステップＳ３９］光伝送装置７０は、ＯＳＣ−ＬＯＳを検出する。
［ステップＳ４０］光伝送装置７０は、正常な０波運用状態にあると判断する。
このように、カプラ２１とＤＣＦ２８との間に設けられるＰｒｅＡＭＰＭｄ７１と、ＤＣＦ２８の後段に設けられるＰｒｅＡＭＰＭｄ３０とのＰｒｅＡＭＰＭｄの２段構成においても、ＤＣＦ２８とＯＳＣユニット６１との接続異常を特定することができる。【０１１６】
また、光伝送装置７０は、Ｃｏｒｅユニット７２の入力段のＯＳＣ光を監視するので、ＤＣＦ２８とＯＳＣユニット６１の接続異常の特定をするとともに、Ｃｏｒｅユニット７２の入力異常も判断することができる。もちろん、第１の実施の形態に示した１段のＰｒｅＡＭＰＭｄ３０の構成でも、Ｃｏｒｅユニット７２と同様の構成をＣｏｒｅユニット６３に適用することにより、Ｃｏｒｅユニット６３の入力異常を判断することができる。【０１１７】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１１８】
１  光伝送装置
２  ユニット
３  第１の部品
４ａ，４ｂ  第１の接続手段
５  第２の部品
６ａ，６ｂ  第２の接続手段
７  分岐手段
８  第１の検出手段
９  第２の検出手段
【図１】
2008050386.tif 000003
【図２】
2008050386.tif 000004
【図３】
2008050386.tif 000005
【図４】
2008050386.tif 000006
【図５】
2008050386.tif 000007
【図６】
2008050386.tif 000008
【図７】
2008050386.tif 000009
【図８】
2008050386.tif 000010
【図９】
2008050386.tif 000011
【図１０】
2008050386.tif 000012
【図１１】
2008050386.tif 000013
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
波長多重された信号光を伝送する光伝送装置において、
第１の部品が接続される第１の接続手段と、第２の部品が接続される第２の接続手段と、前記第２の接続手段の前段に設けられ、前記信号光を前記第１の接続手段を介して前記第１の部品に出力する分岐手段と、前記第１の部品が前記分岐手段から出力される前記信号光を受信しているか否か検出する第１の検出手段と、前記第２の接続手段の後段に設けられ、前記信号光を検出する第２の検出手段と、を備えたユニット、
を有することを特徴とする光伝送装置。
【請求項２】
前記分岐手段は、前記信号光に含まれる監視制御信号を前記第１の部品に出力し、
前記第１の検出手段は、前記第１の部品が前記分岐手段から出力される前記監視制御信号光を受信しているか否か検出し、
前記第２の検出手段は、前記信号光に含まれる前記監視制御信号光を検出する、
ことを特徴とする請求項１記載の光伝送装置。
【請求項３】
前記第２の検出手段が前記信号光を検出しなかった場合、前記第２の接続手段に出力される前記信号光の光レベルを抑制するようにする信号光制御手段を有することを特徴とする請求項１記載の光伝送装置。
【請求項４】
前記第２の検出手段が前記信号光を検出しなかった場合、ＡＰＳＤを実施するＡＰＳＤ手段を有することを特徴とする請求項１記載の光伝送装置。
【請求項５】
前記第１の検出手段が前記第１の部品が前記信号光を受信していないと判断した場合でも、前記第２の検出手段が前記信号光を検出した場合、ＡＰＳＤを実施しないようにするＡＰＳＤ手段を有することを特徴とする請求項１記載の光伝送装置。
【国際調査報告】
2008050386.tif 000014
2008050386.tif 000015
2008050386.tif 000016
2008050386.tif 000017